(57)【特許請求の範囲】
【請求項１】
スプールを間に挟んで向かい合う左右の側枠と、上記側枠の上端の間に跨る載置部と、を有し、上記スプールを回転自在に支持するリール本体と、
上記リール本体の載置部の上に載置され、釣糸の糸長に関する情報を表示する表示部を有するケースと、
上記ケースのうち上記表示部を外れた領域を覆うように上記リール本体に取り外し可能に支持されるとともに、上記ケースを上記載置部の上に固定する外装カバーと、を具備することを特徴とする魚釣用リール。
【請求項２】
請求項１の記載において、上記外装カバーは、上記載置部との間で上記ケースを挟み込んで固定することを特徴とする魚釣用リール。
【発明の詳細な説明】
【技術分野】
【０００１】
本発明は、例えばスプールの回転に基づく釣糸の繰り出し量や巻き取り量を表示する表示部を備えた魚釣用リールに関する。
【背景技術】
【０００２】
釣糸の繰り出し量および巻き取り量を計測する糸長計測装置を搭載した両軸受タイプの魚釣用リールが知られている。この種の魚釣用リールでは、例えば特許文献１および特許文献２に示されるように、スプールを支持するリール本体の上部にカウンターケースが取り付けられている。
【０００３】
カウンターケースは、釣糸の繰り出し量および巻き取り量を演算するＣＰＵのような各種の電子部品を内蔵するとともに、釣糸の繰り出しおよび巻き取りに伴う糸長に関する情報を表示する表示部を備えている。
【０００４】
特許文献１に開示された魚釣用リールでは、カウンターケースが水平部と垂直部とで構成されている。水平部は、上面および周面を有する偏平な箱状に形成されており、この水平部の内部に電子部品が収容されている。釣糸の糸長に関する情報を表示する表示部は、釣人が見易いように水平部の上面に配置されている。カウンターケースの水平部は、リール本体の側枠の上端部の間に跨るようにリール本体に支持されており、表示部を有する上面や周面の多くがリール本体の外に露出している。さらに、カウンターケースの垂直部は、電子部品や表示部を駆動するための電源を内蔵するとともに、リール本体の側枠と外側板との間に入り込んでいる。
【０００５】
特許文献２に開示された魚釣用リールでは、カウンターケースが上面および周面を有する四角い箱状に形成されている。釣糸の糸長に関する情報を表示する表示部は、釣人が見易いようにカウンターケースの上面に配置されている。カウンターケースは、リール本体の側枠の上端部の間に跨るようにリール本体に支持されており、表示部を有する上面や周面の多くがリール本体の外に露出している。
【特許文献１】実開平７−３６６５６号公報
【特許文献２】特開２００７−２６７７２９号公報
【発明の開示】
【発明が解決しようとする課題】
【０００６】
特許文献１および特許文献２に開示された従来の魚釣用リールによると、カウンターケースは、リール本体の上部から上方に向けて張り出しており、表示部を有する上面および周面の多くの領域がリール本体の外に直に露出している。
【０００７】
このため、例えば実際に釣りをしたり、あるいは釣場を移動する時に、カウンターケースの上面や周面が釣場の岩等に接触することがあり、カウンターケースに傷が付くのを否めない。リール本体の外に露出しているカウンターケースが傷付いてしまうと、魚釣用リールの見栄えが悪くなる。
【０００８】
さらに、カウンターケースは、丁度魚釣用リールを掴んだ手の指先が触れる領域に位置するので、カウンターケースの傷付いた部分に指先が触れた時に違和感を伴うことがあり得る。
【０００９】
このため、カウンターケースの傷付きが顕著となった場合は、傷付いたカウンターケースを新たなカウンターケースと交換することが望ましいものとなる。しかしながら、カウンターケースは、ＣＰＵを含む電子部品や表示部と共に一つのモジュールとしてユニット化されているので、カウンターケースの単価が非常に高くなる。そのため、カウンターケースを交換するに当たって、費用的な面での負担が増大するのを避けることができず、経済的でない。
【００１０】
しかも、衝撃に弱い電子部品や数多くの電気的接続部を内蔵した新規なカウンターケースを手作業でリール本体に組み込む必要があり、慎重かつ丁寧な作業が要求される。この結果、カウンターケースの交換に多大な手間と労力を要することになり、作業性が悪くなる。
【００１１】
本発明の目的は、外装カバーによってケースを保護できるとともに、外装カバーが傷付いた場合は、外装カバーを交換するのみで対処することができ、経済的で、かつ交換作業を容易に行うことができる魚釣用リールを得ることにある。
【課題を解決するための手段】
【００１２】
上記目的を達成するため、本発明の一つの形態に係る魚釣用リールは、
スプールを回転自在に支持するリール本体と、上記リール本体の上部に設けられ、釣糸の糸長に関する情報を表示する表示部を有するケースと、上記ケースのうち上記表示部を外れた領域を覆うように上記リール本体に取り外し可能に支持された外装カバーと、を備えている。
上記リール本体は、上記スプールを間に挟んで向かい合う左右の側枠と、上記側枠の上端の間に跨るとともに上記ケースが載置される載置部と、を有し、上記ケースは、上記外装カバーを介して上記載置部の上に固定されている。
【発明の効果】
【００１３】
本発明によれば、表示部を有するケースを外装カバーで保護しているので、魚釣用リールを使用している時に傷付き易いのは、ケースよりも外装カバーとなる。そのため、外装カバーが傷付いた場合には、この外装カバーのみを交換すればよく、単価の高いケースはそのまま繰り返し使用することができる。したがって、ケース周りの外観を良くする際の経済的な負担が少なくて済むとともに、外装カバーの交換時の作業性も改善することができる。
【発明を実施するための最良の形態】
【００１４】
以下本発明の実施の形態を、図１ないし図５に基づいて説明する。
【００１５】
図１および図２は、両軸受タイプの魚釣用リール１を開示している。魚釣用リール１は、リール本体２を備えている。リール本体２は、釣竿取り付け部３を介して図示しない釣竿のリールシートに固定される。
【００１６】
リール本体２は、フレーム４と左右の外側板５ａ，５ｂとで構成されている。フレーム４は、左右の側枠４ａ，４ｂと載置部６とを備えている。側枠４ａ，４ｂは、魚釣用リール１の幅方向に間隔を存して向かい合っている。載置部６は、側枠４ａ，４ｂの前端部の間に跨る板状をなすとともに、フレーム４の前端上部に位置している。載置部６は、平坦な上面６ａを有し、この上面６ａはフレーム４の上方に露出している。
【００１７】
さらに、フレーム４の前端上部にフロントガード７が固定されている。フロントガード７は、載置部６を下方から覆うように側枠４ａ，４ｂの間に跨るとともに、載置部６よりもフレーム４の前方に向けて張り出している。
【００１８】
左側の外側板５ａは、左側の側枠４ａにねじ止め、嵌合等の公知の手段により固定されている。外側板５ａは、側枠４ａを左側方から覆うとともに、この側枠４ａとの間にセンサ収容室８を形成している。右側の外側板５ｂは、右側の側枠４ｂにねじ止め、嵌合等の公知の手段により固定されている。外側板５ｂは、側枠４ｂを右側方から覆うとともに、この側枠４ｂとの間にギヤ室９を形成している。
【００１９】
リール本体２にスプール１０が回転自在に支持されている。スプール１０は、スプール軸１１と、スプール軸１１と一体に回転する釣糸巻回胴部１２と、釣糸巻回胴部１２の軸方向に沿う両端に位置する一対のフランジ１３ａ，１３ｂとを備えている。スプール軸１１の一端は、軸受１４を介してフレーム４の側枠４ａに回転自在に支持されている。スプール軸１１の他端は、他の軸受１５を介してフレーム４の側枠４ｂに回転自在に支持されている。そのため、フレーム４の側枠４ａ，４ｂは、スプール１０の釣糸巻回胴部１２を間に挟んで互いに向かい合っている。
【００２０】
図１に示すように、リール本体２のギヤ室９にピニオンギヤ１７、ハンドル軸１８およびクラッチ駆動部材１９が収容されている。ピニオンギヤ１７は、スプール軸１１と同軸状に配置されているとともに、スプール軸１１に噛み合う係合位置と、スプール軸１１から切り離される係合解除位置との間で移動可能となっている。
【００２１】
ハンドル軸１８は、ピニオンギヤ１７と平行に配置されている。ハンドル軸１８は、ドラグ機構を内蔵するドライブギヤ２０を支持している。ドライブギヤ２０は、ギヤ室９内でピニオンギヤ１７と噛み合っている。
【００２２】
ハンドル軸１８は、右側の外側板５ｂを貫通してリール本体２の外に突出している。ハンドル軸１８の突出端部にドラグ調整用のスタードラグ２１およびハンドル２２が取り付けられている。ハンドル２２は、釣糸をスプール１０に巻き取る時に釣人が手で操作するためのものであり、スタードラグ２１と隣り合っている。
【００２３】
クラッチ駆動部材１９は、ピニオンギヤ１７を係合位置又は係合解除位置に移動させるためのものであり、常にピニオンギヤ１７と噛み合っている。クラッチ駆動部材１９は、釣人がクラッチレバー２３を押し下げた時に、ピニオンギヤ１７を係合解除位置に移動させる。この移動により、スプール１０がハンドル軸１８から切り離されて自由状態に切り換わり、スプール１０からの釣糸の繰り出しが可能となる。
【００２４】
スプール１０が自由状態の時に、釣人がハンドル２２を釣糸巻き取り方向へ回すと、図示しない周知の復帰機構の作動によりクラッチ駆動部材１９がピニオンギヤ１７を係合解除位置から係合位置に向けて移動させる。この移動により、ハンドル軸１８からスプール軸１１に至るトルク伝達経路が形成されて、スプール１０が釣糸巻き取り状態に切り換わる。そのため、ハンドル２２を回した時に、ハンドル軸１８のトルクがドライブギヤ２０からピニオンギヤ１７を介してスプール軸１１に伝わり、スプール１０が釣糸を巻き取る方向に回転する。
【００２５】
図１および図２に示すように、魚釣用リール１は、スプール１０の回転に伴う釣糸の繰り出し量および巻き取り量を計測する糸長計測ユニット２５を搭載している。糸長計測ユニット２５は、スプール１０の回転数および回転方向を検出する検出装置２６と、釣糸の繰り出し量および巻き取り量を含む釣糸の糸長に関する情報を表示する表示装置２７とを備えている。
【００２６】
検出装置２６は、一対のマグネット２８ａ，２８ｂと、例えばホール素子やリードスイッチを用いた磁気センサ２９と、を有している。マグネット２８ａ，２８ｂは、スプール１０の左側のフランジ１３ａに固定されて、フレーム４の左側の側枠４ａと隣り合っている。マグネット２８ａ，２８ｂは、スプール軸１１を間に挟んでフランジ１３ａの径方向に振り分けて配置されている。そのため、マグネット２８ａ，２８ｂは、スプール軸１１を中心とする同一の回転軌跡を描いてスプール１０と一緒に回転するようになっている。
【００２７】
磁気センサ２９は、センサボックス３１の内部に収容されている。センサボックス３１は、フレーム４の側枠４ａの外側面に複数の止めねじ３２を介して固定されており、リール本体２のセンサ収容室８に収容されている。磁気センサ２９は、マグネット２８ａ，２８ｂが描く回転軌跡と向かい合っている。
【００２８】
そのため、スプール１０の回転に伴ってマグネット２８ａ，２８ｂが磁気センサ２９の上を横切ると、磁気センサ２９は、スプール１０の回転方向およびスプール１０の回転数を判定する際の基準となる検出信号を出力する。
【００２９】
図２および図３に示すように、表示装置２７はカウンターケース３３を備えている。カウンターケース３３は、例えばステンレスのような金属材料により形成されている。カウンターケース３３は、リール本体２の幅方向に延びる箱状をなしており、底面３３ａ、上面３３ｂおよび四つの周面３３ｃを有している。
【００３０】
底面３３ａは、凹凸のないフラットな面となっている。周面３３ｃは、上面３３ｂの周縁から底面３３ａの周縁に向けて下向きに延びている。上面３３ｂと周面３３ｃとで規定される角部に上面３３ｂよりも一段低い段差３５が形成されている。段差３５は、カウンターケース３３の周方向に連続している。
【００３１】
カウンターケース３３は、ＣＰＵを含む複数の電子部品が実装されたプリント回路板３６と液晶表示パネル３７とを内蔵している。プリント回路板３６は、フラットケーブル３８を介して検出装置２６の磁気センサ２９に電気的に接続されている。フラットケーブル３８は、リール本体２のセンサ収容室８を通して配線されている。
【００３２】
液晶表示パネル３７は、表示部の一例であり、カウンターケース３３の上面３３ｂに形成した窓３９を通じてカウンターケース３３の外に露出している。さらに、カウンターケース３３の上面３３ｂには、モード切替スイッチ４０が配置されている。
【００３３】
検出装置２６の磁気センサ２９から出力される検出信号は、フラットケーブル３８を介してプリント回路板３６のＣＰＵに取り込まれる。ＣＰＵは、検出信号に基づいてスプール１０の回転方向を判定するとともに、スプール１０の回転数から釣糸の繰り出し長さ又は巻き取り長さを演算する。この演算により得られた釣糸の糸長計測値は、液晶表示パネル３７の上に数値で表示される。
【００３４】
図２に示すように、カウンターケース３３は、リール本体２の載置部６の上面６ａに載置されるとともに、この上面６ａの上に外装カバー４２を介して固定されている。外装カバー４２は、例えば合成樹脂材料により形成されている。外装カバー４２は、カウンターケース３３の周面３３ｃを取り囲む枠体４３を備えている。
【００３５】
枠体４３は、フレーム４の載置部６の外周部の上に載置されている。枠体４３の前端部はフロントガード７に連続するとともに、枠体４３の左側部および右側部はフレーム４の側枠４ａ，４ｂに連続している。さらに、枠体４３の後端部は、スプール１０の直前に位置している。
【００３６】
枠体４３は、開口部４４と一対の延出部４５ａ，４５ｂとを有している。開口部４４は、カウンターケース３３の上面３３ｂを露出させるためのものであり、この開口部４４を規定する枠体４３の縁部４４ａがカウンターケース３３の段差３５に嵌まり込んでいる。枠体４３の縁部４４ａが段差３５に嵌まり込んだ状態では、枠体４３の上面４３ａがカウンターケース３３の上面３３ｂと同一平面上に位置するようになっている。
【００３７】
延出部４５ａ，４５ｂは、開口部４４の後方に位置している。一方の延出部４５ａは、枠体４３の後端の左側部から後方に向けて突出されて、フレーム４の側枠４ａの上部に連続している。他方の延出部４５ｂは、枠体４３の後端の右側部から後方に突出されて、フレーム４の側枠４ｂの上部に連続している。
【００３８】
そのため、フレーム４の載置部６の上面６ａに外装カバー４２を載置すると、外装カバー４２の枠体４３および延出部４５ａ，４５ｂがフレーム４に連続して、このフレーム４との一体感が得られるようになっている。
【００３９】
図２および図４に示すように、枠体４３の前端部に係止爪４７が形成されている。係止爪４７は第１の係合部の一例であり、枠体４３の前端部から下向きに突出している。さらに、延出部４５ａ，４５ｂの外側部に夫々フランジ部４８ａ，４８ｂが形成されている。フランジ部４８ａ，４８ｂは第２の係合部の一例であり、延出部４５ａ，４５ｂから枠体４３の側方に張り出している。
【００４０】
係止爪４７は、載置部６の前端とフロントガード７との間に挿入されて、載置部６の前端に取り外し可能に引っ掛かっている。図５に示すように、右側のフランジ部４８ｂは、フレーム４の側枠４ｂの上面に重なり合うとともに、この側枠４ｂの上面と外側板５ｂの上縁部との間で挟み込まれている。左側のフランジ部４８ａは、図示を省略するが、側枠４ａの上面と外側板５ａの上縁部との間で挟み込まれている。
【００４１】
したがって、外装カバー４２は、係止爪４７およびフランジ部４８ａ，４８ｂを介してフレーム４に取り外し可能に支持されている。外装カバー４２がフレーム４に支持された状態では、枠体４３の縁部４４ａがカウンターケース３３の段差３５に嵌まり込んで、載置部６の上面６ａとの間でカウンターケース３３を挟み込んでいる。
【００４２】
この結果、カウンターケース３３の底面３３ａが載置部６の上面６ａに押さえ込まれて、カウンターケース３３がリール本体２に移動不能に固定されている。
【００４３】
このような構成の魚釣用リール１において、糸長計測ユニット２５のカウンターケース３３をリール本体２に取り付けるに当たっては、予めフレーム４から外側板５ａ，５ｂおよび外装カバー４２を取り外し、載置部６の上面６ａをリール本体２の外に露出させる。
【００４４】
この状態で、載置部６の上面６ａにカウンターケース３３を載置する。次に、載置部６の外周部に外装カバー４２の枠体４３を載置し、この枠体４３でカウンターケース３３の周面３３ｃを取り囲むとともに、枠体４３の縁部４４ａをカウンターケース３３の段差３５に嵌め込む。さらに、枠体４３の係止爪４７を載置部６の前端に引っ掛ける。
【００４５】
次に、フレーム４の側枠４ａ，４ｂに夫々外側板５ａ，５ｂを固定する。この固定により、外装カバー４２のフランジ部４８ａ，４８ｂがフレーム４の側枠４ａ，４ｂの上面と外側板５ａ，５ｂの上縁部との間で挟み込まれる。
【００４６】
この結果、外装カバー４２がフレーム４の載置部６に保持され、外装カバー４２の枠体４３の縁部４４ａと載置部６の上面６ａとの間でカウンターケース３３が挟み込まれる。よって、カウンターケース３３は、外装カバー４２の枠体４３により取り囲まれた状態で、リール本体２に固定される。
【００４７】
本発明の実施の形態によれば、糸長計測ユニット２５のカウンターケース３３は、液晶表示パネル３７が位置する上面３３ｂを除き、外装カバー４２の枠体４３によって取り囲まれているので、この外装カバー４２がカウンターケース３３を保護するプロテクタとしての機能を発揮する。
【００４８】
そのため、魚釣用リール１を使用している時、あるいは魚釣用リール１をバッグやケースに収納して運搬している時に傷付き易いのは、カウンターケース３３よりも外装カバー４２となる。
【００４９】
傷付いた外装カバー４２を交換するには、先ず、外側板５ａ，５ｂをフレーム４から取り外し、外装カバー４２のフランジ部４８ａ，４８ｂの挟み込みを解除する。次に、外装カバー４２の枠体４３を載置部６の上方に向けて引き上げ、係止爪４７と載置部６との係合を解除する。これにより、傷付いた外装カバー４２のみをフレーム４の載置部６から取り外すことができる。
【００５０】
このことから、外装カバー４２が傷付いた場合には、この外装カバー４２を新品と交換すればよいことになり、ＣＰＵや液晶表示パネル３７を内蔵する高価なカウンターケース３３は、そのまま繰り返し使用することができる。
【００５１】
言い換えると、外装カバー４２は、合成樹脂製の単独部品であるため、ＣＰＵや液晶表示パネル３７を内蔵するカウンターケース３３に比べて価格が遥かに安い。そのため、カウンターケース３３の周りの外観を良くする際の費用的な負担が少なくて済み、経済的である。
【００５２】
しかも、カウンターケース３３をリール本体２から取り外す必要が無いので、外装カバー４２の交換時にカウンターケース３３に大きな衝撃が加わり難くなる。この結果、電気的なトラブルの発生を防止できるとともに、従来のように慎重かつ丁寧な作業が要求されることもない。よって、外装カバー４２の交換時の作業性を改善することができる。
【００５３】
加えて、本実施の形態によると、カウンターケース３３は、外装カバー４２と載置部６の上面６ａとの間で挟み込むことによりリール本体２に固定されている。このため、衝撃に弱い電子部品を内蔵するカウンターケース３３の動きを枠体４３によって確実に抑え込むことができ、電気的なトラブルの発生を可及的に抑えることができる。
【００５４】
さらに、カウンターケース３３の周面３３ｃが外装カバー４２により覆われるので、カウンターケース３３の外観を考慮する必要はない。そのため、カウンターケース３３は、例えばプリント回路板３６や液晶表示パネル３７が発する熱を外に逃し易い材料で形成することができ、カウンターケース３３の材料を選択する際の自由度が増大する。
【００５５】
それとともに、外装カバー４２がリール本体２やカウンターケース３３から独立しているので、外装カバー４２をカウンターケース３３に左右されることなく自由な形状に形成することができる。さらに、外装カバー４２の表面にメッキあるいはその他の表面処理を施すことができ、その分、意匠的バリエーションに富んだ外装カバー４２の外観設計が可能となる。
【００５６】
なお、本発明は上記実施の形態に特定されるものではなく、発明の趣旨を逸脱しない範囲内で種々変形して実施可能である。
【００５７】
例えば、図６は本発明と関連性を有する参考例を開示している。
【００５８】
この参考例は、カウンターケース３３をフレーム４の載置部６に固定するための構造が上記実施の形態と相違しており、それ以外の構成は上記実施の形態と同様である。
【００５９】
図６に示すように、カウンターケース３３の周面３３ｃの下端部にフランジ部５１が形成されている。フランジ部５１は、カウンターケース３３の底面３３ａに連続するとともに、カウンターケース３３の周囲に張り出している。フランジ部５１に複数のねじ挿通孔５２が形成されている。ねじ挿通孔５２は、カウンターケース３３を載置部６の上面６ａに載置した時に、載置部６に形成した複数のねじ孔５３と合致するようになっている。
【００６０】
ねじ挿通孔５２に上方から止めねじ５４が挿通されている。止めねじ５４は、ねじ挿通孔５２を貫通してねじ孔５３にねじ込まれている。このねじ込みにより、カウンターケース３３が載置部６に移動不能に締め付け固定され、カウンターケース３３の底面３３ａが載置部６の上面６ａに押し付けられている。
【００６１】
外装カバー４２の枠体４３は、フレーム４にねじ止め又は嵌め込み等の手段により取り外し可能に固定されている。枠体４３にカウンターケース３３の上部が入り込む開口部５５が形成されている。開口部５５の内面とカウンターケース３３の周面３３ｃとの間には、僅かな隙間が形成されている。
【００６２】
さらに、開口部５５の内面と枠体４３の上面とで規定される角部に溝５７が形成されている。溝５７は、開口部５５の周方向に連続している。溝５７にリング状の緩衝材５８が取り付けられている。緩衝材５８は、例えば柔軟なゴム状弾性体により形成されており、カウンターケース３３の上面３３ｂを取り囲んだ状態でカウンターケース３３の周面３３ｃに密着している。そのため、緩衝材５８は、カウンターケース３３と枠体４３との間の隙間を埋めているとともに、カウンターケース３３との接触部分に生じる摩擦抵抗により、カウンターケース３３と外装カバー４２との間の相対的なずれを防止している。
【００６３】
なお、上記実施の形態および参考例では、載置部６の上面６ａにカウンターケース３３を直接載置するようにしたが、載置部６の上面６ａとカウンターケース３３との間にゴムシートを介在させるようにしてもよい。
【００６４】
この構成によれば、ゴムシートによってカウンターケース３３のずれを防止できる。それとともに、載置部６からカウンターケース３３に伝わる振動をゴムシートで吸収することができ、カウンターケース３３の耐衝撃性が向上する。
【図面の簡単な説明】
【００６５】
【図１】本発明の実施の形態に係る魚釣用リールの平面図。
【図２】本発明の実施の形態において、リール本体の載置部に外装カバーを介して糸長計測ユニットのカウンターケースを固定した状態を一部断面で示す魚釣用リールの側面図。
【図３】本発明の実施の形態で用いる糸長計測ユニットの平面図。
【図４】本発明の実施の形態で用いる外装カバーの平面図。
【図５】図１のF5-F5線に沿う断面図。
【図６】本発明と関連性を有する参考例において、リール本体の載置部に糸長計測ユニットのカウンターケースを固定した時のカウンターケースと外装カバーとの位置関係を示す断面図。
【符号の説明】
【００６６】
２…リール本体、４ａ，４ｂ…側枠、６…載置部、１０…スプール、３３…ケース（カウンターケース）、３７…表示部（液晶表示パネル）、４２…外装カバー。
【図１】
0004416824.tif 000002
【図２】
0004416824.tif 000003
【図３】
0004416824.tif 000004
【図４】
0004416824.tif 000005
【図５】
0004416824.tif 000006
【図６】
0004416824.tif 000007